(57)【要約】【課題】  複数のユーザで利用する際に利便性の高い再生装置を提案する。【解決手段】  再生装置においては、記録媒体に記録された番組ごとに、ユーザに固有しないリジューム情報を作成し、記録する。再生装置において番組を再生する際には、ログインをすることなく再生対象の番組を選択する。再生装置では、選択された番組に関して記録されているすべてのリジューム情報を提示し、再生位置を指定するためのリジューム情報の選択を受付ける。【選択図】        図４
2005332490.tif 000002
【特許請求の範囲】
【請求項１】
記録媒体に記録されたコンテンツの中から、再生対象のコンテンツを選択するコンテンツ選択手段と、
コンテンツの再生位置を示す情報を含む前記コンテンツに関するリジューム情報であって、前記コンテンツに関する２以上のリジューム情報を記録するリジューム情報記録手段と、
前記選択されたコンテンツに関する、前記リジューム情報記録手段に記録される２以上のリジューム情報を選択可能に提示するリジューム情報提示手段と、
前記提示された２以上のリジューム情報の各々に含まれる再生位置と、前記コンテンツの先頭位置とのうちから、前記選択されたコンテンツの再生位置を指定する再生位置指定手段とを備える、再生装置。
【請求項２】
前記指定された再生位置が前記コンテンツの先頭位置である場合に、前記再生位置が前記コンテンツの先頭である前記コンテンツに関するリジューム情報を作成するリジューム情報作成手段をさらに含む、請求項１に記載の再生装置。
【請求項３】
前記指定された再生位置から前記コンテンツの最終位置まで前記再生が完了した場合に、前記指定された再生位置を示す情報を含むリジューム情報を削除するリジューム情報削除手段をさらに備える、請求項１または２に記載の再生装置。
【請求項４】
前記指定された再生位置から前記コンテンツの途中位置までで前記再生が停止された場合に、前記指定された再生位置を示す情報を含むリジューム情報について、前記再生位置を前記コンテンツの途中位置に更新するリジューム情報更新手段をさらに備える、請求項１〜３のいずれかに記載の再生装置。
【請求項５】
記録媒体に記録されたコンテンツについて、記録時または最終アクセス時に関する情報と、前記コンテンツの再生位置を示す情報とを含むリジューム情報を記録するリジューム情報記録手段と、
前記リジューム情報を参照して、前記コンテンツの前記記録時または前記最終アクセス時からの経過時間を算出する経過時間算出手段と、
前記経過時間に基づいて、前記コンテンツに消去処理の優先順位を付与する優先順位付与手段と、
前記記録媒体の空き容量が所定の容量となるまで、前記優先順位に沿って前記コンテンツを消去するコンテンツ消去手段とを備える、再生装置。
【請求項６】
前記リジューム情報を参照して、前記コンテンツをタイプ別に分類する分類手段をさらに備え、
前記コンテンツ消去手段は、前記タイプごとに、前記優先順位に沿って前記コンテンツを消去する、請求項５に記載の再生装置。
【請求項７】
前記リジューム情報は、前記コンテンツに対するユーザの嗜好度を示す情報と、即時性を示す情報と、再生回数を示す情報と、前記コンテンツの前記記録媒体とは異なる他の記録媒体への書込みを示す情報との少なくとも１つの情報を含み、
前記優先順位付与手段は、前記リジューム情報に含まれる情報を参照して、前記コンテンツに消去処理の優先順位を付与する、請求項５または６に記載の再生装置。
【請求項８】
前記リジューム情報記録手段は、前記コンテンツに関する２以上のリジューム情報を記録し、
前記優先順位付与手段は、前記リジューム情報記録手段に記録される前記コンテンツに関するリジューム情報の数を参照して、前記コンテンツに消去処理の優先順位を付与する、請求項５〜７のいずれかに記載の再生装置。
【請求項９】
前記コンテンツ消去手段は、前記優先順位に沿って、前記コンテンツの先頭から前記リジューム情報に含まれる再生位置までの部分を消去する、請求項５〜８のいずれかに記載の再生装置。
【請求項１０】
前記リジューム情報記録手段は、前記コンテンツに関する２以上のリジューム情報を記録し、
前記コンテンツ消去手段は、前記優先順位に沿って、前記コンテンツの先頭から、前記２以上のリジューム情報の各々に含まれる再生位置のうちの最前の再生位置までの部分を消去する、請求項９に記載の再生装置。
【請求項１１】
前記リジューム情報は、前記コンテンツの再生を終了させる位置である終了位置を示す情報をさらに含み、
前記コンテンツ消去手段は、前記優先順位に沿って、前記リジューム情報に含まれる前記コンテンツの終了位置から前記コンテンツの最終位置までの部分を消去する、請求項５〜１０のいずれかに記載の再生装置。
【請求項１２】
前記リジューム情報記録手段は、前記コンテンツに関する２以上のリジューム情報を記録し、
前記コンテンツ消去手段は、前記優先順位に沿って、前記２以上のリジューム情報の各々に含まれる前記コンテンツの終了位置のうちの最後方の終了位置から前記コンテンツの最終位置までの部分を消去する、請求項１１に記載の再生装置。
【請求項１３】
記録媒体に記録されたコンテンツの中から、再生対象のコンテンツを選択するコンテンツ選択ステップと、
コンテンツの再生位置を示す情報を含む前記コンテンツに関するリジューム情報であって、前記コンテンツに関する２以上のリジューム情報を記録するリジューム情報記録領域に記録される、前記選択されたコンテンツに関する、前記２以上のリジューム情報を選択可能に提示するリジューム情報提示ステップと、
前記提示された２以上のリジューム情報の各々に含まれる再生位置と、前記コンテンツの先頭位置とのうちから、前記選択されたコンテンツの再生位置を指定する再生位置指定ステップとを備える、再生方法。
【請求項１４】
記録媒体に記録されたコンテンツについて、記録時または最終アクセス時に関する情報と、前記コンテンツの再生位置を示す情報とを含むリジューム情報をリジューム情報記録領域に記録するリジューム情報記録ステップと、
前記リジューム情報を参照して、前記コンテンツの前記記録時または前記最終アクセス時からの経過時間を算出する経過時間算出ステップと、
前記経過時間に基づいて、前記コンテンツに消去処理の優先順位を付与する優先順位付与ステップと、
前記記録媒体の空き容量が所定の容量となるまで、前記優先順位に沿って前記コンテンツを消去するコンテンツ消去ステップとを備える、消去方法。
【請求項１５】
コンピュータにコンテンツの再生を実行させるプログラムであって、
記録媒体に記録されたコンテンツの中から、再生対象のコンテンツを選択するコンテンツ選択ステップと、
コンテンツの再生位置を示す情報を含む前記コンテンツに関するリジューム情報であって、前記コンテンツに関する２以上のリジューム情報を記録するリジューム情報記録領域に記録される、前記選択されたコンテンツに関する、前記２以上のリジューム情報を選択可能に提示するリジューム情報提示ステップと、
前記提示された２以上のリジューム情報の各々に含まれる再生位置と、前記コンテンツの先頭位置とのうちから、前記選択されたコンテンツの再生位置を指定する再生位置指定ステップとを実行させる、再生プログラム。
【請求項１６】
コンピュータにコンテンツの消去を実行させるプログラムであって、
記録媒体に記録されたコンテンツについて、記録時または最終アクセス時に関する情報と、前記コンテンツの再生位置を示す情報とを含むリジューム情報をリジューム情報記録領域に記録するリジューム情報記録ステップと、
前記リジューム情報を参照して、前記コンテンツの前記記録時または前記最終アクセス時からの経過時間を算出する経過時間算出ステップと、
前記経過時間に基づいて、前記コンテンツに消去処理の優先順位を付与する優先順位付与ステップと、
前記記録媒体の空き容量が所定の容量となるまで、前記優先順位に沿って前記コンテンツを消去するコンテンツ消去ステップとを実行させる、消去プログラム。
【請求項１７】
請求項１５に記載の再生プログラムを記録する、コンピュータ読取可能な記録媒体。
【請求項１８】
請求項１６に記載の消去プログラムを記録する、コンピュータ読取可能な記録媒体。
【発明の詳細な説明】
【技術分野】
【０００１】
この発明は再生装置、再生方法、消去方法、再生プログラム、消去プログラム、再生プログラムを記録する記録媒体、および消去プログラムを記録する記録媒体に関し、特に、複数のユーザで利用する際に利便性の高い再生装置、再生方法、消去方法、再生プログラム、消去プログラム、再生プログラムを記録する記録媒体、および消去プログラムを記録する記録媒体に関する。
【背景技術】
【０００２】
放送番組などのコンテンツをハードディスクやＤＶＤ（Digital Video Disc）などの大容量の記録媒体に記録再生して視聴を楽しむ再生装置が利用されるようになってきている。このような再生装置では、あるコンテンツの再生を停止させた場合、次回にその停止位置から再生が開始できるように、その位置がリジュームポイントとして記録される。
【０００３】
家庭においてこのような再生装置を用いる場合、一般に複数のユーザで共有して利用される。そこで、特許文献１や特許文献２においては、このような再生装置である光ディスク記録再生装置や映像記録装置において、番組ごとに番組の記録を行なったユーザを登録しユーザごとに番組の記録や再生や消去などの処理を可能とする技術が開示されている。
【０００４】
つまり、特許文献１や特許文献２に開示されている再生装置では、ユーザごとに、番組と、該番組に関するリジュームポイントとが記録されることになる。
【特許文献１】特開２００３−１４１８５１号公報
【特許文献２】特開２００３−２９９０２３号公報
【発明の開示】
【発明が解決しようとする課題】
【０００５】
しかしながら、このような従来の再生装置では、記録されたコンテンツを再生したり消去したりするためには、番組ごとにユーザ登録を行ない、ログイン操作が必要となり、煩雑な操作が要求されるという問題がある。
【０００６】
また、他のユーザのユーザ登録がなされたコンテンツを再生する際には、このユーザに依頼して再生できるようにユーザ登録をさせてもらわなければならないという、煩雑な作業が要求されるという問題がある。
【０００７】
また、記録されたコンテンツを消去する際にも同様にユーザ単位で操作を行なう必要があるため、記録媒体の空き容量が不足したときに、承諾なく他のユーザのユーザ登録がなされたコンテンツを消去することができず、必要な空き容量を確保できない場合もあるという問題がある。
【０００８】
また、ユーザ間で記録媒体の利用割合に偏りが生じ、全体として効率的に空き容量の活用が図れない場合もあるという問題がある。
【０００９】
本発明はこれらの問題に鑑みてなされたものであって、複数のユーザで共有して利用する場合に、各ユーザの再生状況を効率よく管理することができ、かつ記録媒体の容量を有効に活用することができる再生装置、再生方法、消去方法、再生プログラム、消去プログラム、再生プログラムを記録する記録媒体、および消去プログラムを記録する記録媒体を提供することを目的とする。
【課題を解決するための手段】
【００１０】
上記目的を達成するために、本発明のある局面に従うと、再生装置は、記録媒体に記録されたコンテンツの中から、再生対象のコンテンツを選択するコンテンツ選択手段と、コンテンツの再生位置を示す情報を含む該コンテンツに関するリジューム情報であって、該コンテンツに関する２以上のリジューム情報を記録するリジューム情報記録手段と、選択されたコンテンツに関する、リジューム情報記録手段に記録される２以上のリジューム情報を選択可能に提示するリジューム情報提示手段と、提示された２以上のリジューム情報の各々に含まれる再生位置、および該コンテンツの先頭位置のうちから、選択されたコンテンツの再生位置を指定する再生位置指定手段とを備える。
【００１１】
また、再生装置は、指定された再生位置がコンテンツの先頭位置である場合に、再生位置がコンテンツの先頭である該コンテンツに関するリジューム情報を作成するリジューム情報作成手段をさらに含むことが好ましい。
【００１２】
また、再生装置は、指定された再生位置からコンテンツの最終位置まで再生が完了した場合に、指定された再生位置を示す情報を含むリジューム情報を削除するリジューム情報削除手段をさらに備えることが好ましい。
【００１３】
また、再生装置は、指定された再生位置からコンテンツの途中位置までで再生が停止された場合に、指定された再生位置を示す情報を含むリジューム情報について、再生位置を該コンテンツの途中位置に更新するリジューム情報更新手段をさらに備えることが好ましい。
【００１４】
本発明の他の局面に従うと、再生装置は、記録媒体に記録されたコンテンツについて、記録時または最終アクセス時に関する情報、および該コンテンツの再生位置を示す情報を含むリジューム情報を記録するリジューム情報記録手段と、リジューム情報を参照して、コンテンツの記録時または最終アクセス時からの経過時間を算出する経過時間算出手段と、経過時間に基づいて、コンテンツに消去処理の優先順位を付与する優先順位付与手段と、記録媒体の空き容量が所定の容量となるまで、優先順位に沿ってコンテンツを消去するコンテンツ消去手段とを備える。
【００１５】
また、再生装置は、リジューム情報を参照して、コンテンツをタイプ別に分類する分類手段をさらに備え、コンテンツ消去手段は、タイプごとに、優先順位に沿ってコンテンツを消去することが好ましい。
【００１６】
また、リジューム情報は、コンテンツに対するユーザの嗜好度を示す情報と、即時性を示す情報と、再生回数を示す情報と、コンテンツの該記録媒体とは異なる他の記録媒体への書込みを示す情報との少なくとも１つの情報を含み、優先順位付与手段は、リジューム情報に含まれる情報を参照して、コンテンツに消去処理の優先順位を付与することが好ましい。
【００１７】
また、リジューム情報記録手段は、コンテンツに関する２以上のリジューム情報を記録し、優先順位付与手段は、リジューム情報記録手段に記録される該コンテンツに関するリジューム情報の数を参照して、コンテンツに消去処理の優先順位を付与することが好ましい。
【００１８】
また、コンテンツ消去手段は、優先順位に沿って、コンテンツの先頭からリジューム情報に含まれる再生位置までの部分を消去することが好ましい。
【００１９】
さらに、リジューム情報記録手段は、該コンテンツに関する２以上のリジューム情報を記録し、コンテンツ消去手段は、優先順位に沿って、コンテンツの先頭から、２以上のリジューム情報の各々に含まれる再生位置のうちの最前の再生位置までの部分を消去することがより好ましい。
【００２０】
また、リジューム情報は、コンテンツの再生を終了させる位置である終了位置を示す情報をさらに含み、コンテンツ消去手段は、優先順位に沿って、リジューム情報に含まれるコンテンツの終了位置からコンテンツの最終位置までの部分を消去することが好ましい。
【００２１】
さらに、リジューム情報記録手段は、該コンテンツに関する２以上のリジューム情報を記録し、コンテンツ消去手段は、優先順位に沿って、２以上のリジューム情報の各々に含まれるコンテンツの終了位置のうちの最後方の終了位置からコンテンツの最終位置までの部分を消去することがより好ましい。
【００２２】
本発明のさらに他の局面に従うと、再生方法は、記録媒体に記録されたコンテンツの中から、再生対象のコンテンツを選択するコンテンツ選択ステップと、コンテンツの再生位置を示す情報を含む該コンテンツに関するリジューム情報であって、該コンテンツに関する２以上のリジューム情報を記録するリジューム情報記録領域に記録される、選択されたコンテンツに関する、２以上のリジューム情報を選択可能に提示するリジューム情報提示ステップと、提示された２以上のリジューム情報の各々に含まれる再生位置、および該コンテンツの先頭位置のうちから、選択されたコンテンツの再生位置を指定する再生位置指定ステップとを備える。
【００２３】
本発明のさらに他の局面に従うと、消去方法は、記録媒体に記録されたコンテンツについて、記録時または最終アクセス時に関する情報、および該コンテンツの再生位置を示す情報を含むリジューム情報をリジューム情報記録領域に記録するリジューム情報記録ステップと、リジューム情報を参照して、コンテンツの記録時または最終アクセス時からの経過時間を算出する経過時間算出ステップと、経過時間に基づいて、コンテンツに消去処理の優先順位を付与する優先順位付与ステップと、記録媒体の空き容量が所定の容量となるまで、優先順位に沿ってコンテンツを消去するコンテンツ消去ステップとを備える。
【００２４】
本発明のさらに他の局面に従うと、再生プログラムは、コンピュータにコンテンツの再生を実行させるプログラムであって、記録媒体に記録されたコンテンツの中から、再生対象のコンテンツを選択するコンテンツ選択ステップと、コンテンツの再生位置を示す情報を含む該コンテンツに関するリジューム情報であって、該コンテンツに関する２以上のリジューム情報を記録するリジューム情報記録領域に記録される、選択されたコンテンツに関する、２以上のリジューム情報を選択可能に提示するリジューム情報提示ステップと、提示された２以上のリジューム情報の各々に含まれる再生位置、および該コンテンツの先頭位置のうちから、選択されたコンテンツの再生位置を指定する再生位置指定ステップとを実行させる。
【００２５】
本発明のさらに他の局面に従うと、消去プログラムは、コンピュータにコンテンツの消去を実行させるプログラムであって、記録媒体に記録されたコンテンツについて、記録時または最終アクセス時に関する情報、および該コンテンツの再生位置を示す情報を含むリジューム情報をリジューム情報記録領域に記録するリジューム情報記録ステップと、リジューム情報を参照して、コンテンツの記録時または最終アクセス時からの経過時間を算出する経過時間算出ステップと、経過時間に基づいて、コンテンツに消去処理の優先順位を付与する優先順位付与ステップと、記録媒体の空き容量が所定の容量となるまで、優先順位に沿ってコンテンツを消去するコンテンツ消去ステップとを実行させる。
【００２６】
本発明のさらに他の局面に従うと、記録媒体はコンピュータ読取可能な記録媒体であって、上述の再生プログラムを記録する。
【００２７】
本発明のさらに他の局面に従うと、記録媒体はコンピュータ読取可能な記録媒体であって、上述の消去プログラムを記録する。
【発明を実施するための最良の形態】
【００２８】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２９】
本発明にかかる再生装置としては、具体的には、ＰＶＲ（Personal Video Recorder：ハードディスクビデオレコーダ）などの、放送番組を記録再生するコンテンツ記録再生装置や、パーソナルコンピュータや携帯電話やＰＤＡ（Personal Digital Assistants）などの、記録媒体または内蔵される記録領域に記録される動画像や音声やアニメーションなどのコンテンツを再生するコンテンツ再生装置が該当する。以下の実施の形態においては、本発明にかかる再生装置は具体的に記録媒体に記録される放送番組であるコンテンツを再生する再生装置であるものとし、本発明に関する構成部分が示されて、その他の構成部分については省略されている部分もある。
【００３０】
［第１の実施の形態］
図１は、本実施の形態にかかる再生装置の機能構成の具体例を示す図である。
【００３１】
図１を参照して、本実施の形態にかかる再生装置は、ハードディスクなどの記録媒体１に記録された番組であるコンテンツを再生する再生装置であって、番組の再生などの番組や番組に関する情報を管理する番組管理部２と、操作対象の番組の選択を管理する番組選択管理部４と、リジューム情報を管理するリジューム管理部３とを含んで構成される。
【００３２】
番組管理部２は、さらに、記録媒体１に記録された番組を再生する番組再生部２１と、記録媒体１に記録された番組のタイトルや放送日時（録画日時）など、該番組に関する番組情報を記録する情報記録部２２と、記録媒体１に記録された番組を消去する番組消去部２３とを含む。
【００３３】
番組選択管理部４は、さらに、情報記録部２２に記録される番組情報を読出して表示する番組情報表示部４１と、番組情報表示部４１に表示された番組情報に基づいて、視聴者から、再生する番組の選択を受付ける番組選択部４２とを含む。
【００３４】
リジューム管理部３は、さらに、記録媒体１に記録された番組に関するリジューム情報を記録するリジューム情報記録部３１と、リジューム情報記録部３１に記録されたリジューム情報を表示するリジューム情報表示部３２と、記録媒体１に記録された番組についてリジューム情報を作成するリジューム情報作成部３３と、リジューム情報記録部３１に記録されたリジューム情報を更新するリジューム情報更新部３４と、リジューム情報記録部３１に記録されたリジューム情報を消去するリジューム情報消去部３５と、リジューム情報に含まれる情報を入力する情報入力部３６と、リジューム情報表示部３２に表示されるリジューム情報の中から再生に用いるリジューム情報の選択を受付けるリジューム情報選択部３７とを含む。
【００３５】
ここで、リジューム情報とは、記録媒体１に記録された番組ごとに１つまたは複数生成される情報であって、対応する番組を識別する番組識別情報と、前回に該番組の再生を終了した番組途中の番組上の位置であるリジュームポイントと、その日時情報である最終アクセス日時とを含む情報である。リジュームポイントは、次回の該番組の再生時に、開始点として用いられることで、前回の続きから該番組の視聴を開始することが可能になる。
【００３６】
また、必要に応じて、リジューム情報に、該番組が終了する番組上の位置である終了点や、該番組を視聴した視聴者を識別する情報や、該リジューム情報の更新を禁止するフラグや、該番組に対するお気に入り度や、該番組の即時性を示す鮮度情報などが含まれてもよい。これらの情報は、情報入力部３６において、前回の視聴時に視聴者によって入力されてリジューム情報に含まれる。また、該番組の再生回数や、ＤＶＤ（Digital Video Disc）などの他の記録媒体に書込まれたことを示す書込フラグなどが自動的に入力されてもよい。
【００３７】
かかる再生装置において視聴者が記録媒体１に記録された番組を再生する場合、番組情報表示部４１において、記録媒体１に記録されている番組の番組情報が表示され、番組選択部４２において再生対象の番組の選択を受付ける。
【００３８】
番組選択部４２は、受付けた選択に基づいて再生対象を特定し、再生を指示する指示信号を番組再生部２１に対して出力する。また、リジューム管理部３に対して、再生対象を特定する指示信号を出力する。
【００３９】
番組選択部４２より指示された再生対象である番組のリジューム情報がリジューム情報記録部３１に記録されている場合、リジューム情報表示部３２にリジューム情報が表示され、リジューム情報選択部３７において再生を開始するリジュームポイントを含むリジューム情報の選択を受付ける。リジューム情報選択部３７は、受付けた選択に基づいて再生開始点を特定し、再生開始点を指示する指示信号を番組再生部２１に対して出力する。
【００４０】
番組再生部２１は、番組選択部４２から入力された指示信号と、リジューム情報選択部３７から入力された指示信号とに基づいて、指示された番組を記録媒体１から読出して、指示されたリジュームポイントより再生する。
【００４１】
また、番組再生部２１は、番組の再生や再生の終了についてリジューム管理部３に通知する。リジューム情報作成部３３は、必要に応じて該通知に基づいて該番組に関するリジューム情報を作成し、リジューム情報記録部３１に記録する。また、リジューム情報更新部３４は、必要に応じて該通知に基づいて、その再生に用いられたリジューム情報であって、リジューム情報記録部３１に記録されるリジューム情報を更新する。また、リジューム情報消去部３５は、必要に応じて該通知に基づいて、その再生に用いられたリジューム情報であって、リジューム情報記録部３１に記録されるリジューム情報を消去する。
【００４２】
図２のフローチャートを用いて、本実施の形態にかかる再生装置で番組の再生を開始するときの処理について説明する。図２のフローチャートに示される再生開始処理は、図示されない再生装置のＣＰＵ（Central Processing Unit）などの制御部が、ＲＯＭ（Read Only Memory）などの記録媒体に記録されるプログラムを読出し、該プログラムにしたがって図１に示される各部を制御することによって実現される。
【００４３】
図２を参照して、再生開始時には、再生する番組を視聴者に選択させるために、番組情報表示部４１に番組情報が番組リストとして表示される（Ｓ１０１）。ステップＳ１０１では、図３に示されるように、記録媒体１に記録された番組のタイトルや放送日時などの番組情報が選択可能に画面表示され、たとえば、番組選択管理部４を構成する右ボタン、左ボタンなどで選択されて決定ボタンで該選択が決定される。なお、図３に示されるように、番組情報としては、番組のタイトルや放送日時などのテキスト情報のみならず（またはそれらのテキスト情報に替えて）、番組中の１コマや該番組を象徴する画像などの画像データが番組リストとして表示されることが好ましい。
【００４４】
ステップＳ１０１で表示された番組情報の中から、番組選択管理部４において再生対象とする番組の選択を受付けると（Ｓ１０３でＹＥＳ）、リジューム情報記録部３１より、該番組に関するリジューム情報がすべて抽出される（Ｓ１０５）。
【００４５】
ステップＳ１０５において、１つまたは複数のリジューム情報がリジューム情報記録部３１より抽出された場合（Ｓ１０７でＹＥＳ）、リジューム情報表示部３２に、それらのリジューム情報がすべて、該番組の始めから再生を行なわせるための頭出しを指示する選択肢と共に、選択可能に表示され、リジューム情報選択部３７において再生に用いるリジューム情報または頭出しの選択肢の選択を受付ける（Ｓ１０９）。ステップＳ１０９では、図４に示されるように、ステップＳ１０３で選択された番組に関するリジューム情報であって、ステップＳ１０５でリジューム情報記録部３１より抽出された１つまたは複数のリジューム情報が、頭出しを指示する選択肢と共に選択可能に画面表示される。なお、図４に示されるように、リジューム情報としては、リジュームポイントを示すテキスト情報のみならず（または該テキスト情報に替えて）、その位置における画像などの画像データがリジューム情報の選択肢として表示されることが好ましい。
【００４６】
ステップＳ１０９で受付けた選択が、頭出しを指示する選択である場合（Ｓ１１１でＹＥＳ）、リジューム情報作成部３３において、該番組に関する新たなリジューム情報が作成されて追加されるリジューム情報新規追加処理が実行される（Ｓ１１３）。
【００４７】
ステップＳ１１３では、図５に示されるように、始めに、リジューム情報作成部３３において、リジューム情報記録部３１の記録領域に、新規のリジューム情報用の領域が確保され（Ｓ２０１）、次に、リジューム情報に含まれる、該番組を特定する情報が取得され（Ｓ２０３）、リジュームポイントが最初の位置（Ｓ２０５）、最終アクセス日時が現在時刻（Ｓ２０７）として、ステップＳ２０１で確保された領域に新規のリジューム情報として書込まれる（Ｓ２０９）。
【００４８】
なお、ステップＳ１０５において、リジューム情報記録部３１より該番組に関するリジューム情報が抽出されなかった場合（Ｓ１０７でＮＯ）、番組途中の位置に再生開始点がないため、ステップＳ１０９，Ｓ１１１の処理はスキップされて、頭出し再生が実行されるものとして、ステップＳ１１３で上述のリジューム情報新規追加処理が実行される。
【００４９】
そして、番組再生部２１において、ステップＳ１０９で選択されたリジューム情報、またはステップＳ１１３で新規に作成されたリジューム情報が用いられて、そのリジューム情報に含まれるリジュームポイントである所定の開始点から該番組の再生が開始される（Ｓ１１５）。
【００５０】
番組の再生が開始されると、再生装置においてはイベントの発生に応じて、リジュームを管理する処理が実行される。図６を用いて、再生中のイベントに応じた処理について説明する。
【００５１】
図６を参照して、番組再生部２１での該番組の再生終了が検出されると（Ｓ３０１でＹＥＳ）、用いられたリジューム情報が、更新が禁止されているものでない場合（Ｓ３０３でＮＯ）、かかる終了が途中停止であるときには（Ｓ３０５でＹＥＳ）、用いられたリジューム情報を更新するリジューム情報更新処理が実行される（Ｓ３０７）。また、かかる終了が途中停止でないとき、つまり番組の終了位置まで再生されて再生が終了された場合（Ｓ３０５でＮＯ）、用いられたリジューム情報を消去するリジューム情報消去処理が実行される（Ｓ３０９）。
【００５２】
上述のステップＳ３０７では、図７に示されるように、リジューム情報更新部３４において、かかる再生に用いられたリジューム情報がリジューム情報記録部３１から選択されて（Ｓ４０１）、リジュームポイントが停止位置（Ｓ４０３）、最終アクセス日時が現在時刻（Ｓ４０５）として、選択されたリジュームデータに書込まれる（Ｓ４０９）。なお、この際、必要に応じて、情報入力部３６において、お気に入り度や、鮮度情報や、該番組を視聴した視聴者を識別する情報や、該リジューム情報の更新を禁止するフラグなどの設定や変更を受付けて（Ｓ４０７）、これらの情報を更新してステップＳ４０９でリジュームデータに書込んでもよい。
【００５３】
また、上述のステップＳ３０９では、図８に示されるように、かかる再生に用いられたリジューム情報がリジューム情報記録部３１から選択されて（Ｓ５０１）、リジューム情報記録部３１の記録領域から消去される（Ｓ５０３）。
【００５４】
なお、ステップＳ３０７のリジューム情報更新処理やステップＳ３０９のリジューム情報消去処理が実行されるに先立ってかかる処理の実行の可否について確認する処理が実行されて、その結果に応じてこれらの処理が実行されてもよい。ここで、リジューム情報更新処理やリジューム情報消去処理の実行が拒否された場合には、処理対象のリジューム情報は更新または消去されることなくリジューム情報記録部３１に記録されたままとなり、しおりとして機能することになる。
【００５５】
また、ステップＳ３０７のリジューム情報更新処理において、ステップＳ４０７で該番組を視聴した視聴者を識別する情報の設定や変更を受付ける場合、ステップＳ４０７に先立って、たとえば上述の確認する処理などにおいて、予め視聴者ごとに登録されているアイコンやユーザ名などの視聴者のリストを表示して、選択を受付けてもよい。
【００５６】
本実施の形態にかかる再生装置では上述の処理が実行されて、視聴者ごとではなく、番組ごとにリジューム情報が管理され、１つの番組に対して１つまたは複数のリジューム情報が生成される。このため、視聴者はログイン操作を行なうことなく、容易な操作で以前のリジューム情報を利用して続きから視聴を開始することができる。
【００５７】
また、リジューム情報記録部の記録領域を視聴者ごとにクラスタ管理するのではなく、記録領域全体を１つの管理処理によって管理するため、管理処理が容易になる。また、記録領域の空き領域を有効に活用することができる。
【００５８】
［第２の実施の形態］
図９は、本実施の形態にかかる再生装置の機能構成の具体例を示す図である。
【００５９】
図９を参照して、本実施の形態にかかる再生装置は、第１の実施の形態にかかる再生装置と同様の番組管理部２と番組選択管理部４とリジューム管理部３とに加えて、記録媒体１に記録されている番組の消去を管理する消去管理部５を含んで構成される。
【００６０】
消去管理部５は、さらに、消去対象とする番組を消去するか否かを判定する判定部５１と、消去を指示する自動消去部５２とを含む。
【００６１】
判定部５１は、リジューム情報記録部３１に記録される処理対象の番組に関するリジューム情報を読出して、該番組を消去するか否かを判定し、その判定結果を自動消去部５２に出力する。自動消去部５２は、判定部５１から入力された判定結果に基づいて、該当する番組の消去を指示する指示信号を番組消去部２３に対して出力する。
【００６２】
なお、本実施の形態においては、情報記録部２２に記録される番組情報には、記録媒体１に記録された該番組がアクセスされて再生されたか否かを示すアクセスフラグが含まれる。
【００６３】
図１０のフローチャートを用いて、本実施の形態にかかる再生装置での、番組の自動消去処理について説明する。図１０のフローチャートに示される自動消去処理は、所定の時間間隔や、電源を投入したときなどの所定のタイミングや、録画予約時など記録媒体１の空き容量が不足していることが検出されたタイミングなどに実行される処理であって、図示されない再生装置のＣＰＵなどの制御部が、ＲＯＭなどの記録媒体に記録されるプログラムを読出し、該プログラムにしたがって図９に示される各部を制御することによって実現される。
【００６４】
図１０を参照して、消去を禁止する消去不可のプロテクトがかけられていない番組を処理対象として（Ｓ６０１でＮＯ）、処理対象の番組を分類する分類処理が実行され、属するタイプと経過時間とが得られる（Ｓ６０３）。
【００６５】
すなわち、ステップＳ６０３においては、図１１に示されるように、判定部５１において、該番組の番組情報のアクセスフラグが参照されて、アクセスフラグが立っていないもの、つまり、未だ再生がなされていない番組については（Ｓ７０１でＮＯ）、タイプが未視聴、比較日時が番組情報に含まれる録画日時と分類される（Ｓ７０３）。
【００６６】
また、アクセスフラグが立っているもの、つまり以前に再生が実行された番組であって（Ｓ７０１でＹＥＳ）、さらにリジューム情報記録部３１が検索されてリジューム情報が抽出されないもの、つまり番組の終了位置まで再生が完了しているものについては（Ｓ７０５でＮＯ）、タイプが既視聴、比較日時が録画日時と分類される（Ｓ７０７）。
【００６７】
また、リジューム情報が抽出されるもの、つまり番組を再生途中で停止した視聴者がいるものについては（Ｓ７０５でＹＥＳ）、タイプがリジューム、比較日時が該番組のリジューム情報に含まれる最終アクセス日時と分類される（Ｓ７０９）。
【００６８】
さらに、現在日時と、ステップＳ７０３、Ｓ７０７、またはＳ７０９で分類された比較日時との差分を算出することで経過時間が得られて（Ｓ７１１）、必要に応じて、ステップＳ７１１で得られた経過時間に情報を付加する付加情報処理が実行される（Ｓ７１３）。
【００６９】
次に、判定部５１において、ステップＳ６０３の分類処理において得られた経過時間と、予め定められている判定時間とが比較されて（Ｓ６０５）、判定時間以上が経過していると判定された番組について（Ｓ６０５でＹＥＳ）、消去対象番組として経過時間の長い順に並べ替える処理が行なわれる（Ｓ６０７）。ステップＳ６０７の処理は、判定時間以上が経過している番組について、消去対象の番組として、消去処理の優先順位が経過時間の長い順に割振られる処理と同等である。
【００７０】
さらに、未処理の番組が記録媒体１に記録されている場合には（Ｓ６０９でＮＯ）、その番組を処理対象として（Ｓ６１１）上述のステップＳ６０１〜Ｓ６０７の処理を繰返し、記録媒体１に記録されるすべての番組について上述のステップＳ６０１〜Ｓ６０７の処理を実行する（Ｓ６０９でＹＥＳ）。
【００７１】
その後、必要に応じて消去対象の番組について消去を確認し（Ｓ６１３でＹＥＳ）、番組消去部２３において、該当する番組を記録媒体１から消去する消去処理を実行する（Ｓ６１５）。
【００７２】
ステップＳ６１５における消去処理は、消去対象の番組のタイプに応じて実行される。その具体例としては、図１２を参照して、記録媒体１の空き容量が不足している場合（Ｓ８０１でＮＯ）、始めに、番組消去部２３において、消去対象の番組であるタイプ「既視聴」の番組が、経過時間の長いものから順に、つまり消去処理の優先順位の高い順に１つずつ消去される（Ｓ８０３，Ｓ８０５）。
【００７３】
消去対象の番組であるタイプ「既視聴」の番組がすべて消去されてもまだ記録媒体１の空き容量が不足している場合（Ｓ８０３でＮＯ）、続いて、消去対象の番組であるタイプ「未視聴」の番組が、経過時間の長いものから順に、つまり消去処理の優先順位の高い順に１つずつ消去される（Ｓ８０７，Ｓ８０９）。
【００７４】
消去対象の番組であるタイプ「未視聴」の番組がすべて消去されてもまだ記録媒体１の空き容量が不足している場合（Ｓ８０７でＮＯ）、続いて、消去対象の番組であるタイプ「リジューム」の番組について、該番組に関するリジューム情報に含まれるすべてのリジュームポイントのうち、最も番組上の位置が前であるリジュームポイントより以前の部分が、経過時間の長いものから順に、つまり消去処理の優先順位の高い順に１つずつ消去される（Ｓ８１１，Ｓ８１３，Ｓ８１５）。
【００７５】
消去対象の番組であるタイプ「リジューム」の番組について、各番組の最も番組上の位置が前であるリジュームポイントより以前の部分がすべて消去されてもまだ記録媒体１の空き容量が不足している場合（Ｓ８１３でＮＯ）、タイプ「リジューム」の番組について、該番組に関するリジューム情報に含まれるすべての終了点のうち、最も番組上の位置が後ろである終了点以降の部分が、経過時間の長いものから順に、つまり消去処理の優先順位の高い順に１つずつ消去される（Ｓ８１７，Ｓ８１９）。
【００７６】
消去対象の番組であるタイプ「リジューム」の番組について、各番組の最も番組上の位置が後ろである終了点以降の部分がすべて消去されてもまだ記録媒体１の空き容量が不足している場合（Ｓ８１７でＮＯ）、消去対象の番組であるタイプ「リジューム」の番組が、経過時間の長いものから順に、つまり消去処理の優先順位の高い順に、記録媒体１の空き容量が十分に確保されるまで、１つずつ消去される（Ｓ８２１）。
【００７７】
なお、上述の消去処理の具体例においては、タイプ「既視聴」、タイプ「未視聴」、タイプ「リジューム」の順に消去対象の番組情報が消去される例が示されているが、消去するタイプの順はこの順に限定されず、いずれの順であってもよい。
【００７８】
また、上述の消去処理の具体例においては、ステップＳ８２１で消去対象であるタイプ「リジューム」の番組を消去する処理に先立って、ステップＳ８１１〜Ｓ８１９において、各番組に対応付けられたリジューム情報を参照して、最も前の開始点以前の部分と、最も後ろの終了点以降の部分とを部分消去する処理を行なう例が示されているが、このような部分消去を行なうことなく、タイプ「既視聴」、タイプ「未視聴」を消去する処理と同様に、タイプ「リジューム」の番組を消去する処理のみが行なわれてもよい。
【００７９】
なお、言うまでもなく、タイプに関わらずに、経過時間のみに基づいて消去処理が実行されても構わない。
【００８０】
さらに、本実施の形態にかかる再生装置では、リジューム情報に含まれるリジュームポイントおよび最終アクセス日時以外の情報に基づいてステップＳ７１３における付加情報処理が実行され、かかる処理において付加された情報が参照されて自動消去処理が実行されることが好ましい。
【００８１】
図１３〜図１６を用いて、付加情報処理の具体例について説明する。
【００８２】
図１３を参照して、第１の付加情報処理としては、分類対象の番組に関するリジューム情報にお気に入り度が設定されている場合（Ｓ９０１でＹＥＳ）、判定部５１において、お気に入り度によって経過時間を増減させる（Ｓ９０３）。具体的には、ステップＳ７１１で得られた経過時間を設定されているお気に入り度を示す値で除することで、新たな経過時間とする処理が挙げられる。
【００８３】
また、鮮度情報が設定されている場合（Ｓ９０５でＹＥＳ）、判定部５１において、鮮度情報によって経過時間を増減させる（Ｓ９０７）。具体的には、ステップＳ７１１で得られた経過時間と設定されている鮮度を示す値とを掛け合わせることで、新たな経過時間とする処理が挙げられる。
【００８４】
このようにされて、高いお気に入り度が設定されている番組、つまり視聴者が気に入っている番組については、お気に入り度が高い（大きい）ほど経過時間が短くなるよう処理されて、より消去されにくくなる。また、鮮度が高く設定されている番組、つまり、たとえば速報や天気予報など即時性が高い番組については、即時性が高い（鮮度情報が大きい）ほど経過時間が長くなるように処理されて、消去処理の優先順位が高くなる。
【００８５】
図１４を参照して、第２の付加情報処理としては、分類対象の番組について、リジューム情報記録部３１に複数のリジューム情報が存在する場合（Ｓ１００１でＹＥＳ）、判定部５１において、リジューム情報の数によって経過時間を増減させる（Ｓ１００３）。具体的には、ステップＳ７１１で得られた経過時間をリジューム情報の数で除することで、新たな経過時間とする処理が挙げられる。
【００８６】
また、鮮度情報が設定されている場合（Ｓ１００５でＹＥＳ）、判定部５１において、ステップＳ９０７と同様に、鮮度情報によって経過時間を増減させる（Ｓ１００７）。
【００８７】
このようにされて、リジューム情報記録部３１にリジューム情報が多く存在する番組、つまり、該番組を視聴途中である視聴者が多くいる番組については、リジューム情報の数が大きい（視聴途中である視聴者が多い）ほど経過時間が短くなるよう処理されて、より消去されにくくなる。
【００８８】
また、図１５に示される第３の付加情報処理のように、分類対象の番組に関するリジューム情報に含まれる書込フラグが立っている場合、つまりＤＶＤなどの他の記録媒体にすでに書込まれた番組である場合（Ｓ１１０１でＹＥＳ）、ステップＳ７１１で得られた経過時間を２倍とする処理がされたり（Ｓ１１０３）、図１６に示される第４の付加情報処理のように、リジューム情報に含まれる該番組の再生回数に応じて付加情報処理を行なう場合には（Ｓ１２０１でＹＥＳ）、ステップＳ７１１で得られた経過時間を再生回数で除する処理がされたりしてもよい（Ｓ１２０３）。
【００８９】
このようにされて、すでにＤＶＤなどの他の記録媒体にすでに書込まれた番組については経過時間が長くなるよう処理されて、消去処理の優先順位が高くなる。また、再生回数の多い番組、つまり視聴者の人気が高くて繰返し視聴されている番組については、再生回数が多い（大きい）ほど経過時間が短くなるよう処理されて、より消去されにくくなる。
【００９０】
本実施の形態にかかる再生装置では上述の処理が実行されて、リジューム情報に基づいて番組の自動消去が実行される。つまり、本実施の形態にかかる再生装置では、リジューム情報を活用して記録媒体に記録される番組の管理が自動的に行なわれるため、消去のための煩雑な操作を必要とせずに記録媒体の記録領域を有効に活用することができる。また、リジューム情報を活用して消去の判定が行なわれるため、適切な番組を消去対象とすることが可能となる。さらに、その際に、お気に入り度や番組種別（鮮度）などを参照するため、ユーザニーズに応じた適切な番組を消去対象とすることができる。
【００９１】
つまり、本実施の形態にかかる再生装置では、煩雑な操作をユーザに要求することなく、複数人で再生装置を利用する際の利便性を高めることができる。
【００９２】
さらに、上述の再生装置で実行される番組の再生開始処理にかかる方法、再生中イベント処理にかかる方法、および番組の自動消去処理にかかる方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９３】
提供されるプログラム製品は、ハードディスクなどのプログラム格納部にインストールされて実行される。なお、プログラム製品は、プログラム自体と、プログラムが記録された記録媒体とを含む。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】第１の実施の形態にかかる再生装置の機能構成の具体例を示す図である。
【図２】第１の実施の形態にかかる再生装置での再生開始処理を示すフローチャートである。
【図３】番組情報表示部４１に表示される番組情報の具体例を示す図である。
【図４】リジューム情報表示部３２に表示される、ある番組に関するすべてのリジューム情報の具体例を示す図である。
【図５】ステップＳ１１３でのリジューム情報新規追加処理を示すフローチャートである。
【図６】第１の実施の形態にかかる再生装置での再生中のイベントに応じた処理を示すフローチャートである。
【図７】ステップＳ３０７でのリジューム情報更新処理を示すフローチャートである。
【図８】ステップＳ３０９でのリジューム情報消去処理を示すフローチャートである。
【図９】第２の実施の形態にかかる再生装置の機能構成の具体例を示す図である。
【図１０】第２の実施の形態にかかる再生装置での番組の自動消去処理を示すフローチャートである。
【図１１】ステップＳ６０３での分類処理を示すフローチャートである。
【図１２】ステップＳ６１５での消去処理を示すフローチャートである。
【図１３】ステップＳ７１３での第１の付加情報処理を示すフローチャートである。
【図１４】ステップＳ７１３での第２の付加情報処理を示すフローチャートである。
【図１５】ステップＳ７１３での第３の付加情報処理を示すフローチャートである。
【図１６】ステップＳ７１３での第４の付加情報処理を示すフローチャートである。
【符号の説明】
【００９６】
１  記録媒体、２  番組管理部、３  リジューム管理部、４  番組選択管理部、５  消去管理部、２１  番組再生部、２２  情報記録部、２３  番組消去部、３１  リジューム情報記録部、３２  リジューム情報表示部、３３  リジューム情報作成部、３４  リジューム情報更新部、３５  リジューム情報消去部、３６  情報入力部、３７  リジューム情報選択部、４１  番組情報表示部、４２  番組選択部、５１  判定部、５２  自動消去部。
【図１】
2005332490.tif 000003
【図２】
2005332490.tif 000004
【図３】
2005332490.tif 000005
【図４】
2005332490.tif 000006
【図５】
2005332490.tif 000007
【図６】
2005332490.tif 000008
【図７】
2005332490.tif 000009
【図８】
2005332490.tif 000010
【図９】
2005332490.tif 000011
【図１０】
2005332490.tif 000012
【図１１】
2005332490.tif 000013
【図１２】
2005332490.tif 000014
【図１３】
2005332490.tif 000015
【図１４】
2005332490.tif 000016
【図１５】
2005332490.tif 000017
【図１６】
2005332490.tif 000018